(57)【要約】【課題】ベルト式無段変速機のサイズをできる限り小型化する。【解決手段】プーリ軸２４に設けられた固定シーブ２２と、プーリ軸２４にスライド自在に嵌合され且つ回り止めされて固定シーブ２２に対向配置された可動シーブ２３と、その可動シーブ２３をプーリ軸２４に沿って軸方向に移動させるねじ機構３０とを備え、ねじ機構３０は筒状のねじ軸３１とナット３３と、ねじ軸３１の外径面とナット３３の内径面に設けられたねじ溝３２，３４に組み込まれたボール３５とを備え、ねじ軸３１とナット３３のうちの一方がプーリ支持対象１０に固定される固定側部品とされ、他方が回転トルクの負荷により軸方向に移動する可動側部品とされ、可動側部品の外周に回転を伝達するためのギヤが設けられており、ねじ機構３０のねじ溝３２，３４が形成された軸方向範囲と、可動側部品の外周に設けられたギヤの軸方向範囲とを重複させたベルト式無段変速機の可変速プーリ支持装置とした。【選択図】図１
2018165527.tif 000002
【特許請求の範囲】
【請求項１】
２つの可変速プーリ（Ｐ１、Ｐ２）を備えるベルト式無段変速機の少なくとも一方の可変速プーリ支持装置であって、プーリ軸（２４）に設けられた固定シーブ（２２）と、前記プーリ軸（２４）にスライド自在に嵌合され且つ回り止めされて前記固定シーブ（２２）に対向配置された可動シーブ（２３）と、その可動シーブ（２３）を前記プーリ軸（２４）に沿って軸方向に移動させるねじ機構（３０）とを備え、
前記ねじ機構（３０）は、筒状のねじ軸（３１）と、そのねじ軸（３１）にねじ係合されるナット（３３）と、前記ねじ軸（３１）の外径面と前記ナット（３３）の内径面に設けられたねじ溝（３２，３４）に組み込まれたボール（３５）とを備え、前記ねじ軸（３１）と前記ナット（３３）のうちの一方がプーリ支持対象（１０）に固定される固定側部品とされ、他方が回転トルクの負荷により軸方向に移動する可動側部品とされ、前記可動側部品の外周に他の可変速プーリ（Ｐ２）に回転を伝達するためのギヤが設けられており、
前記ねじ機構（３０）の前記ねじ溝（３２，３４）が形成された軸方向範囲と、前記可動側部品の外周に設けられた前記ギヤの軸方向範囲とを重複させた
ベルト式無段変速機の可変速プーリ支持装置。
【請求項２】
前記可動側部品は前記ナット（３３）である
請求項１に記載のベルト式無段変速機の可変速プーリ支持装置。
【請求項３】
前記可動側部品は、前記ねじ溝（３２，３４）に臨む位置に装着可能で螺旋状の前記ねじ溝（３２，３４）の並列するピッチ間に前記ボール（３５）を循環させるコマ部材（３７）を備え、
前記コマ部材（３７）は、前記ギヤ又は前記ギヤを固定する係合部（３６）の一部を切り欠いて配置される
請求項１又は２に記載のベルト式無段変速機の可変速プーリ支持装置。
【請求項４】
前記コマ部材（３７）は、螺旋状の前記ねじ溝（３２，３４）の隣り合う２つのピッチ間でのみ前記ボール（３５）を循環させるものであり、
前記コマ部材（３７）は、前記可動側部品の前記ギヤが設けられた軸方向範囲を避けて配置される
請求項３に記載のベルト式無段変速機の可変速プーリ支持装置。
【請求項５】
前記ギヤ又は前記ギヤを固定する係合部（３６）は、前記可動側部品に一体に設けられる
請求項１〜４のいずれか一つに記載のベルト式無段変速機の可変速プーリ支持装置。
【請求項６】
前記ギヤ又は前記ギヤを固定する係合部（３６）は、前記可動側部品とは別部材のものが前記可動側部品に接続されて構成されており、
前記別部材は、前記可動側部品に装着された前記コマ部材（３７）を覆うように前記可動側部品の外周に取り付けられる
請求項１〜４のいずれか一つに記載のベルト式無段変速機の可変速プーリ支持装置。
【発明の詳細な説明】
【技術分野】
【０００１】
この発明は、ベルト式無段変速機の可変速プーリ支持装置に関する。
【背景技術】
【０００２】
自動車エンジンの回転を変速して出力する無段変速機として、駆動側の可変速プーリと従動側の可変速プーリ間にＶベルトをかけ渡し、駆動側可変速プーリと従動側可変速プーリのプーリ溝幅を互いに逆方向に変化させて変速比を無段階に可変するＶベルト式無段変速機が従来から知られている。
【０００３】
駆動側、従動側の各可変速プーリは、プーリ軸に設けられた固定シーブに対して可動シーブを対向配置し、その可動シーブをプーリ軸に沿ってスライド自在に支持し、且つ、プーリ軸に対して回り止めし、上記可動シーブをボールねじ機構により軸方向に移動させてプーリ溝幅を制御している。
【０００４】
ボールねじ機構は、ねじ軸の外周に形成されたねじ溝と、ナットの内周に形成されたねじ溝間に、多数のボールを循環可能に組込んだものである。
【０００５】
例えば、特許文献１では、ボールねじ機構におけるねじ軸を筒状とし、その筒状のねじ軸を変速機のケーシングに固定し、ナットを可動シーブに回動自在に連結し、そのナットに回転トルクを付与して、ナットとともに可動シーブをプーリ軸の軸方向に移動させるようにしている。
【０００６】
また、特許文献２では、ボールねじ機構におけるナットをケーシングに固定し、筒状のねじ軸を可動シーブに回動自在に連結し、そのねじ軸に回転トルクを付与して、ねじ軸とともに可動シーブをプーリ軸の軸方向に移動させるようにしている。
【先行技術文献】
【特許文献】
【０００７】
【特許文献１】特開２００３−１３９２０７号公報
【特許文献２】特開２００５−２７３７３５号公報
【発明の概要】
【発明が解決しようとする課題】
【０００８】
ところで、上記特許文献１，２に記載されたベルト式無段変速機では、ねじ機構のねじ軸とナットとがねじ係合している部分、すなわち、ねじ溝が設けられている部分と、駆動力を伝達するギヤが設けられている部分とが、軸方向へ離れた位置に設定されている。このようなねじ溝とギヤとのオフセットにより、装置全体が大型化する傾向がある。ベルト式無段変速機のサイズは、できる限り小型化したいという要請がある。
【０００９】
そこで、この発明の課題は、ベルト式無段変速機のサイズをできる限り小型化することである。
【課題を解決するための手段】
【００１０】
上記の課題を解決するために、この発明は、２つの可変速プーリを備えるベルト式無段変速機の少なくとも一方の可変速プーリ支持装置であって、プーリ軸に設けられた固定シーブと、前記プーリ軸にスライド自在に嵌合され且つ回り止めされて前記固定シーブに対向配置された可動シーブと、その可動シーブを前記プーリ軸に沿って軸方向に移動させるねじ機構とを備え、前記ねじ機構は、筒状のねじ軸と、そのねじ軸にねじ係合されるナットと、前記ねじ軸の外径面と前記ナットの内径面に設けられたねじ溝に組み込まれたボールとを備え、前記ねじ軸と前記ナットのうちの一方がプーリ支持対象に固定される固定側部品とされ、他方が回転トルクの負荷により軸方向に移動する可動側部品とされ、前記可動側部品の外周に他の可変速プーリに回転を伝達するためのギヤが設けられており、前記ねじ機構の前記ねじ溝が形成された軸方向範囲と、前記可動側部品の外周に設けられた前記ギヤの軸方向範囲とを重複させたベルト式無段変速機の可変速プーリ支持装置を採用した。
【００１１】
ここで、前記可動側部品は前記ナットである構成を採用することができる。
【００１２】
また、前記可動側部品は、前記ねじ溝に臨む位置に装着可能で螺旋状の前記ねじ溝の並列するピッチ間に前記ボールを循環させるコマ部材を備え、前記コマ部材は、前記ギヤ又は前記ギヤを固定する係合部の一部を切り欠いて配置される構成を採用することができる。
【００１３】
前記コマ部材は、螺旋状の前記ねじ溝の隣り合う２つのピッチ間でのみ前記ボールを循環させるものであり、前記コマ部材は、前記可動側部品の前記ギヤが設けられた軸方向範囲を避けて配置される構成を採用することができる。
【００１４】
これらの各態様において、前記ギヤ又は前記ギヤを固定する係合部は、前記可動側部品に一体に設けられる構成を採用することができる。
【００１５】
あるいは、これらの各態様において、前記ギヤ又は前記ギヤを固定する係合部は、前記可動側部品とは別部材のものが前記可動側部品に接続されて構成されており、前記別部材は、前記可動側部品に装着された前記コマ部材を覆うように前記可動側部品の外周に取り付けられる構成を採用することができる。
【発明の効果】
【００１６】
この発明は、ベルト式無段変速機のプーリを動作させるねじ機構のねじ溝が設けられている部分と、ねじ機構に駆動力を伝達するギヤが設けられている部分とを、軸方向に重複させたので、装置のサイズを小型化することができる。
【図面の簡単な説明】
【００１７】
【図１】この発明の第一の実施形態を示す縦断面図
【図２】図１の要部拡大断面図
【図３】図２の平面図
【図４】第二の実施形態を示す平面図
【図５】第三の実施形態を示す平面図
【発明を実施するための形態】
【００１８】
以下、この発明の実施の形態を、図面に基づいて説明する。図１に示すように、プーリ支持対象としてのケーシング１０内には、Ｖベルト式無段変速機２０が組み込まれている。Ｖベルト式無段変速機２０は、駆動側の可変速プーリＰ１と、従動側の可変速プーリＰ２と、その両プーリＰ１、Ｐ２間に掛け渡されたＶベルト２１とからなる。
【００１９】
図１に示すように、駆動側の可変速プーリＰ１は、固定シーブ２２と、その固定シーブ２２に対向配置された可動シーブ２３を有する。固定シーブ２２と可動シーブ２３の対向面には、テーパ面２２ａ、２３ａが設けられ、そのテーパ面２２ａ、２３ａ間に断面Ｖ字形のプーリ溝Ｇが設けられている。
【００２０】
固定シーブ２２は、プーリ軸２４に一体化されている。一体化に際し、ここでは、プーリ軸２４に固定シーブ２２を一体的に設けているが、プーリ軸２４に固定シーブ２２を嵌合してキー止めし、あるいは、ピン止めしてもよい。また、スプラインやセレーションによる嵌合として回り止めし、止め輪の取り付けにより軸方向に固定してもよい。
【００２１】
可動シーブ２３は、プーリ軸２４にスライド自在に嵌合され、且つ、回り止めされている。回り止めに際し、プーリ軸２４に滑りキー２５を固定し、一方、可動シーブ２３の内径面には軸方向に延びるキー溝２６を形成し、そのキー溝２６に滑りキー２５をスライド自在に嵌合している。
【００２２】
上記のような滑りキー２５による回り止めに代えて、プーリ軸２４に可動シーブ２３をスプラインによる嵌合あるいはセレーションによる嵌合として、プーリ軸２４に対し、可動シーブ２３をスライド自在とし、且つ、回り止めとしてもよい。
【００２３】
駆動側可変速プーリＰ１における可動シーブ２３は、ねじ機構３０によって軸方向に移動される。図２に示すように、ねじ機構３０は、筒状のねじ軸３１の外径面に形成されたねじ溝３２と、ナット３３の内径面に形成されたねじ溝３４間に多数のボール３５を組み込んだボールねじからなる（以下、ボールねじ３０とも称する。）。上記多数のボール３５は、ナット３３及びねじ軸３１間に形成された図示省略の循環路に沿って、循環可能とされている。
【００２４】
ねじ軸３１とナット３３のうちの一方が、ケーシング１０に回転方向に固定される固定側部品とされ、他方が、回転トルクの負荷により軸方向に移動する可動側部品とされる。ここでは、ねじ軸３１はねじ機構３０の固定側部品として機能し、ナット３３はねじ機構３０の可動側部品として機能するようになっている。
【００２５】
可動側部品であるナット３３は、第一の軸受要素４０を介して可動シーブ２３に回転自在に連結されている。
【００２６】
第一の軸受要素４０は、可動シーブ２３の軸方向端面（背面）と、それに対向するナット３３の軸方向端面との間に配置される第一のスラスト軸受４１で構成されている。この実施形態では、第一のスラスト軸受４１は、可動シーブ２３とナット３３との間に、複数のニードルを放射状に配置したスラストニードル軸受を採用している。
【００２７】
また、固定側部品であるねじ軸３１は、ケーシング１０に直接固定されている。この実施形態では、ケーシング１０の内面に対してねじ軸３１の端面が直接当接しており、ケーシング１０の外側からそのケーシング１０の貫通孔１２を通って、ねじ軸３１の穴３１ａに向かって差し込まれた回転方向を固定するピン１１によって、ねじ軸３１はケーシング１０に回転方向に固定されている。なお、回転方向への移動はピン１１により規制されており、軸方向への移動は可能であるが、軸方向への移動は軸方向からの荷重により規制されている。
【００２８】
固定側部品のケーシング１０に対する回転方向を固定する構造としては、固定側部品とケーシング１０とが直接接触して、回転方向を固定することが望ましい。
【００２９】
ケーシング１０又はねじ軸３１と、プーリ軸２４との間には、第二の軸受要素５０が配置される。第二の軸受要素５０は、プーリ軸２４の軸端にねじ込まれた止めナット２７の内側端面と、それに対向するねじ軸３１の軸方向端面との間に配置される第二のスラスト軸受５１で構成されている。このような構成とすることで、ねじ軸３１のラジアル方向の荷重を受けとめている。この実施形態では、第二のスラスト軸受５１は、止めナット２７とねじ軸３１との間に、複数のニードルを放射状に配置したスラストニードル軸受を採用している。止めナット２７はプーリ軸２４とともに一体に軸回り回転する。
【００３０】
プーリ軸２４は、ナット３３の軸心に形成された嵌合孔に挿通され、プーリ軸２４とナット３３とは、互いに相対回転可能である。また、プーリ軸２４は、ねじ軸３１に設けられた嵌合孔に挿通されて、プーリ軸２４とねじ軸３１とは、第三の軸受要素６０を介して軸回り回転自在に支持されている。ここでは、第三の軸受要素６０として、プーリ軸２４の外面とねじ軸３１の嵌合孔の内面との間に、複列のニードル軸受６１を配置している。
【００３１】
プーリ軸２４の両端は、それぞれケーシング１０との間に組み込まれた支持軸受６２，６２によって、そのケーシング１０に回転自在に支持されている。支持軸受６２としては、例えば、深溝玉軸受やアンギュラ玉軸受を採用することができる。
【００３２】
ナット３３の外周には係合部３６が形成されており、この係合部３６に変速ギヤ４３が嵌合されている。変速ギヤ４３は、ナット３３に対して回り止めされ、そのナット３３の端部に取り付けられた止め輪４５によって軸方向に固定されている。変速ギヤ４３を固定するための係合部３６は、ギヤやセレーション等の軸方向へ抜き差し可能な種々の係合手段や、あるいは、変速ギヤ４３を軸方向へ圧入固定するための圧入用外周面等で構成することができる。
【００３３】
変速ギヤ４３は駆動ギヤ４６と噛合している。駆動ギヤ４６は図示省略したモータによって回転駆動される。その駆動ギヤ４６の回転を変速ギヤ４３に伝達することにより、変速ギヤ４３とともにナット３３が回転する。
【００３４】
このとき、ナット３３は、ボール３５を介して回転方向に固定されたねじ軸３１とねじ係合しているため、ナット３３が回転しつつ軸方向へ移動するとともに、変速ギヤ４３は駆動ギヤ４６に噛合する状態を保持してナット３３とともに軸方向へ移動する。変速ギヤ４３の軸方向への移動を可能とするため、その変速ギヤ４３及び駆動ギヤ４６のそれぞれを平歯車としている。
【００３５】
変速ギヤ４３は、駆動側可変速プーリＰ１と従動側可変速プーリＰ２間に組み込まれた変速軸７０の一端部上に設けられた平歯車からなる入力ギヤ７１と噛合して、ナット３３の回転を変速軸７０に伝達しており、その変速軸７０の回転は他端部に設けられた出力ギヤ７２から出力される。
【００３６】
上記変速軸７０においては、両端部がケーシング１０に支持された転がり軸受７３によって回転自在に支持されている。
【００３７】
従動側の可変速プーリＰ２は、前述の駆動側可変速プーリＰ１と同様に、固定シーブ２２と、その固定シーブ２２に対向配置された可動シーブ２３からなる。
【００３８】
これらの固定シーブ２２及び可動シーブ２３は、駆動側可変速プーリＰ１の固定シーブ２２及び可動シーブ２３に対して左右逆の配置とされている点で、駆動側可変速プーリＰ１と相違している。固定シーブ２２に設けられたプーリ軸２４で、可動シーブ２３を回転自在に、且つ、スライド自在に支持している等、可動シーブ２３の支持構造については、駆動側の可変速プーリＰ１の可動シーブ２３と同一とされている。このため、同一部品には同一の符号を付して説明を省略する。
【００３９】
また、可動シーブ２３をボールねじ３０で移動させる点、そのボールねじ３０を形成するねじ軸３１をケーシング１０で支持する支持構造、プーリ軸２４の両端部をケーシング１０で回転自在に支持する支持構造についても、駆動側の可変速プーリＰ１と同一であるため、同一部品には同一の符号を付して説明を省略する。
【００４０】
従動側において、ボールねじ３０のナット３３に支持された変速ギヤ４３は、変速軸７０に設けられた出力ギヤ７２に噛合して、駆動側可変速プーリＰ1の可動シーブ２３と従動側可変速プーリＰ２の可動シーブ２３は連動回転するようになっている。
【００４１】
ここで、図２に示すように、ねじ軸３１のねじ溝３２、又は、ナット３３のねじ溝３４が形成された軸方向範囲と、可動側部品であるナット３３の外周に形成された係合部３６の軸方向範囲とは、重複するように設定されている。この実施形態では、ねじ軸３１とナット３３との相対位置がどのような状態であるかに係わらず、係合部３６が形成されている軸方向範囲は、ねじ軸３１のねじ溝３２の軸方向範囲、及び、ナット３３のねじ溝３４の軸方向範囲のそれぞれと重複している。係合部３６が、ねじ軸３１のねじ溝３２の軸方向範囲や、ナット３３のねじ溝３４の軸方向範囲のそれぞれと重複していれば、その係合部３６に固定されるギヤ（変速ギヤ４３）の存在する軸方向範囲も、ねじ軸３１のねじ溝３２の軸方向範囲や、ナット３３のねじ溝３４の軸方向範囲のそれぞれと重複していることとなる。
【００４２】
このため、可動側部品や固定側部品の軸方向寸法を小さくすることができ、その結果、可変速プーリ支持装置を小型化することができる。特に、可変速プーリ支持装置の軸方向への長さを短縮することができる。
【００４３】
また、この実施形態では、図２に示すように、可動側部品であるナット３３は、ねじ溝３４に臨む位置に装着可能なコマ部材３７を備えている。
【００４４】
コマ部材３７は、螺旋状のねじ溝３４の並列するピッチ間にボール３５を循環させるために設置される。コマ部材３７は、ナット３３の内面のねじ溝３４に臨む位置に装着可能で、螺旋状のねじ溝３２の並列するピッチ間にボール３５を循環させるよう、並列するねじ溝３２間を軸方向へ結ぶ連結溝３７ａを備える。
【００４５】
図２に示す第一の実施形態では、係合部３６は可動側部品に一体に設けられる。また、コマ部材３７は、ナット３３の外周に形成される係合部３６の一部を切り欠いて配置される。
【００４６】
すなわち、コマ部材３７は、ナット３３の円筒部３３ｂの外周と内周を貫通するように形成された孔３３ｄ内に、嵌合により固定される。孔３３ｄは、ナット３３の外周に形成される係合部３６、ナット３３の内周に形成されるねじ溝３４の一部を切り欠いて形成されている。孔３３ｄは、図２に示すように、ナット３３の円筒部３３ｂの一端から内径側へ伸びるフランジ部３３ａは避けて設けられる。
【００４７】
ここで、変速ギヤ４３は、係合部３６に対して全周に亘って係合するので、周方向の一部分に係合部３６が無くても、変速ギヤ４３の固定には支障がない。また、孔３３ｄによって、ナット３３の内周に形成されるねじ溝３４の一部は分断されているが、そのねじ溝３４の分断された箇所は、コマ部材３７の連結溝３７ａによって接続されているので、ボール３５は、並列するねじ溝３４間を行き来でき、ボールねじ３０の機能に支障はない。
【００４８】
なお、係合部３６をギヤで構成して、そのギヤからなる係合部３６を、駆動ギヤ４６や出力ギヤ７２等に直接噛み合わせてもよい。この構成によれば、変速ギヤ４３の設置を省略することにより、さらなる装置の小型化が可能である。
【００４９】
図４に示す第二の実施形態では、コマ部材３７は、螺旋状のねじ溝３４の隣り合う２つのピッチ間でのみ、ボール３５を循環させるものである。すなわち、ねじ軸３１のねじ溝３２は複数ピッチに亘って螺旋状に形成されているのに対し、ナット３３のねじ溝３４は１ピッチ分（１周分）の螺旋長さに形成されている。コマ部材３７の連結溝３７ａは、ナット３３の１ピッチ分のねじ溝３４の一方の端部から他方の端部へボール３５を戻して、そのねじ溝３４内にボール３５を循環させる。
【００５０】
このように、コマ部材３７は、１ピッチ分のねじ溝３４に相当する軸方向に限られた範囲にのみ配置されるので、係合部３６に噛み合う変速ギヤ４３との噛み合い部分を避けて配置することができ、設計の自由度が拡がるという効果が期待できる。すなわち、コマ部材３７は比較的小型にできるので、可動側部品の係合部３６が形成された軸方向範囲のうち、係合部３６に噛み合う変速ギヤ４３との噛み合い部分を避けて配置することが容易に可能である。
【００５１】
図５に示す第三の実施形態では、係合部３６は、可動側部品であるナット３３の本体とは別部材のものが、そのナット３３に接続されて構成されている。別部材からなる係合部３６は円筒状の部材であり、その円筒状の部材が、ナット３３の円筒部３３ｂからフランジ部３３ａへと続く外周面に、圧入、嵌合、その他手法により固定されている。
【００５２】
ここで、別部材である係合部３６は、可動側部品であるナット３３に装着されたコマ部材３７を覆うように、そのナット３３の外周に取り付けられる。すなわち、ナット３３にコマ部材３７を装着した後に、別部材である係合部３６を固定する手順となる。
【００５３】
以上のように、Ｖベルト式無段変速機は、これらの各実施形態に示す構造を採用することができ、以下、その作用を説明する。
【００５４】
まず、駆動ギヤ４６を駆動すると、その駆動ギヤ４６の回転は変速ギヤ４３に伝達され、駆動側可変速プーリＰ１のボールねじ３０におけるナット３３が回転する。
【００５５】
このとき、ナット３３は、ケーシング１０に回転方向に固定されたねじ軸３１に対して、ボール３５を介してねじ係合しているため、ナット３３は回転しつつ軸方向に移動し、そのナット３３に回転自在に連結された可動シーブ２３が、プーリ軸２４に沿って軸方向に移動し、固定シーブ２２との対向部間に形成されたプーリ溝の溝幅が変化する。
【００５６】
また、駆動側可変速プーリＰ１のナット３３の回転は、変速ギヤ４３からこれに噛合する入力ギヤ７１に伝達されて変速軸７０が回転し、その変速軸７０の回転は、出力ギヤ７２から従動側可変速プーリＰ２の変速ギヤ４３に伝達されるため、従動側可変速プーリＰ２におけるボールねじ３０のナット３３が回転する。
【００５７】
このとき、従動側可変速プーリＰ２におけるナット３３も、駆動側可変速プーリＰ１のナット３３と同様に、回転方向に固定されたねじ軸３１に対してボール３５を介してねじ係合しているため、ナット３３は回転しつつ軸方向に移動し、そのナット３３に回転自在に連結された可動シーブ２３がプーリ軸２４に沿って軸方向に移動し、固定シーブ２２との対向部間に形成されたプーリ溝の溝幅が変化する。
【００５８】
この場合、駆動側可変速プーリＰ１と従動側可変速プーリＰ２とは固定シーブ２２と可動シーブ２３が左右逆の配置とされているため、駆動側可変速プーリＰ１と従動側可変速プーリＰ２とはプーリ溝幅が互いに逆方向に変化する。すなわち、駆動側可変速プーリＰ１のプーリ溝幅が広くなると従動側可変速プーリＰ２のプーリ溝幅が狭くなり、逆に、駆動側可変速プーリＰ１のプーリ溝幅が狭くなると従動側可変速プーリＰ２のプーリ溝幅が広くなる。そのプーリ溝幅の変化によって駆動側可変速プーリＰ１から従動側可変速プーリＰ２への変速比が変化する。
【００５９】
この実施形態では、可動シーブ２３をプーリ軸２４に沿って軸方向に移動させるねじ機構としてボールねじ３０を採用したが、ねじ機構はボールねじ３０に限定されるものではない。例えば、筒状のねじ軸３１の外径面及びナット３３の内径面のそれぞれに、台形ねじを螺旋状に形成した滑りねじであってもよい。
【００６０】
また、この実施形態では、ねじ軸３１はねじ機構３０の固定側部品として機能し、ナット３３はねじ機構３０の可動側部品として機能するようになっていたが、これを逆にして、ねじ軸３１はねじ機構３０の可動側部品として機能し、ナット３３はねじ機構３０の固定側部品として機能する構成に、この発明を適用してもよい。
【００６１】
この場合、ねじ軸３１を可動シーブ２３に回転自在に連結し、ねじ軸３１の外径面に変速ギヤ４３を取り付け、変速比の変更に際し、その変速ギヤ４３に回転トルクを伝達する。また、可動側部材であるねじ軸３１と可動シーブ２３との間を、スラスト軸受からなる第一の軸受要素４０で支持することとなる。
【００６２】
このとき、コマ部材３７は、可動側部品であるねじ軸３１に備えられる。コマ部材３７は、ねじ軸３１の外面のねじ溝３２に臨む位置に装着可能で、螺旋状のねじ溝３２の並列するピッチ間にボール３５を循環させるよう、並列するねじ溝３２間を結ぶ連結溝３７ａを備える。
【００６３】
なお、ボールねじ３０の仕様や用途によっては、ピッチ間にボール３５を循環させる必要がないボールねじ３０を採用することができ、その場合、コマ部材３７の設置は省略することもできる。
【００６４】
また、これらの実施形態では、可動シーブ２３をプーリ軸２４に沿って軸方向に移動させるねじ機構としてボールねじ３０を採用したが、ねじ機構はボールねじ３０に限定されるものではない。例えば、筒状のねじ軸３１の外径面及びナット３３の内径面のそれぞれに、台形ねじを螺旋状に形成した滑りねじであってもよい。このような、ボールを介在しないねじ機構を採用する場合も、コマ部材３７の設置は不要である。
【符号の説明】
【００６５】
１０  ケーシング（プーリ支持対象）
２２  固定シーブ
２３  可動シーブ
２３ｂ  ボス部
２４  プーリ軸
３０  ボールねじ（ねじ機構）
３１  ねじ軸
３２  ねじ溝
３３  ナット
３４  ねじ溝
３５  ボール
４０  第一の軸受要素
４１  第一のスラスト軸受
５０  第二の軸受要素
５１  第二のスラスト軸受
６０  第三の軸受要素
６１  ニードル軸受
６２  支持軸受
【図１】
2018165527.tif 000003
【図２】
2018165527.tif 000004
【図３】
2018165527.tif 000005
【図４】
2018165527.tif 000006
【図５】
2018165527.tif 000007